【手続補正書】
【提出日】平成20年11月25日(2008.11.25)
【手続補正１】
【補正対象書類名】特許請求の範囲
【補正対象項目名】全文
【補正方法】変更
【補正の内容】
【特許請求の範囲】
【請求項１】
上端及び下端が隣接する脊椎の対向する脊椎終板により境界付けられ周囲が繊維輪により境界付けられた脊椎間核の、再生を促進するステントであって、
金属フープを含む上部及び底部であって、前記対向する脊椎終板の外周領域に係合するように適合された座面を有しつつ前記脊椎終板の中央領域を開口したままにする上部及び底部と、
前記上部及び底部を接続する複数の横部材であって、前記上部及び底部と共に、前記隣接する脊椎間の挿入のために当該ステントが圧壊することを可能とするよう構成された横部材とを含み、
前記隣接する脊椎間に配置されるときに膨脹するように構成される、ステント。
【請求項２】
脊椎間核の再生を促進するため、膨脹状態で、前記対向する脊椎終板間に生成される圧縮荷重の少なくとも一部を受け持つように構成される、請求項１に記載のステント。
【請求項３】
組織の再生のために前記脊椎間核を開口した状態に維持しつつ前記脊椎終板の移動を許容する柔軟なかごとして機能する、及び／又は、可膨張性膜まわりに膨脹するように構成される、請求項２に記載のステント。
【請求項４】
前記上部及び底部の座面は円形である、若しくは、前記上部及び底部の座面は、前記脊椎間核の解剖学的構造に対応する楕円形である、請求項１に記載のステント。
【請求項５】
前記金属フープ及び横部材は、ニチノールを含む、請求項１に記載のステント。
【請求項６】
前記金属フープは、骨の成長を促進するようなテクスチャー加工され、前記テクスチャー加工は、更に骨の成長を促進するための成長因子を含む、請求項１に記載のステント。
【請求項７】
隣接する腰の脊椎間に挿入されるように構成され、
前記脊椎間核により画成される腔内に挿入され、
該腔の外周に対応するように形状付けられる、請求項１に記載のステント。
【請求項８】
隣接する頚部の脊椎間に挿入されるように構成され、
除去された繊維輪の領域を通って前記脊椎終板の外周まで延在するように形状付けられる、請求項１に記載のステント。
【請求項９】
前記上部及び底部は、前記脊椎終板に係合するように鋸歯状にされる、及び／又は、前記上部及び底部の少なくとも一方は、当該ステントが脊椎の外壁に固定されることを可能とするための外部フランジを有する、請求項８に記載のステント。
【請求項１０】
繊維輪により囲繞される髄核組織の領域を有し隣接する脊椎の脊椎終板間に配置される椎間円板の処理システムであって、
前記椎間円板内の腔内に、圧壊されたステントを挿入する手段と、
脊椎間圧縮荷重の少なくとも一部を受け持ちこれにより前記椎間円板の処理を促進させるために、前記ステントを膨脹させる手段とを含むことを含む、システム。
【請求項１１】
椎間円板の再生を促進するためのシステムであって、
前記腔内に圧壊されたステントを挿入する手段は、前記髄核組織内の核腔内に、圧壊されたステントを挿入する手段を含む、請求項１０に記載のシステム。
【請求項１２】
前記ステントを膨脹させる手段は、
前記脊椎終板に係合するように、上側及び下側の金属フープを膨脹させる手段と、
複数の横部材により接続される前記上側及び下側の金属フープと、
前記脊椎終板に対して前記上側及び下側の金属フープを分離させるために前記複数の横部材からの荷重を介して前記脊椎終板上に軸方向の荷重を生成する手段とを含み、
前記上側及び下側の金属フープは、前記脊椎終板の外周領域に係合しつつ中央の終板を開口したままにする手段を含み、及び／又は、
前記ステントは、組織の再生のために前記核腔を開口した状態に維持しつつ前記脊椎終板の移動を許容する柔軟なかごとして機能する、請求項１１に記載のシステム。
【請求項１３】
前記腔内に圧壊されたステントを挿入する手段は、
隣接する腰の脊椎間の髄核にアクセスするために繊維輪内に環状の侵入入口を生成する手段と、
前記腔を生成するために髄核組織を取り除く手段と、
前記腔内に前記環状の侵入入口を通して圧壊されたステントを挿入する手段とを含む、請求項１０又は１１に記載のシステム。
【請求項１４】
前記腔内に圧壊されたステントを挿入する手段は、
隣接する頚部の脊椎間に腔を生成するために繊維輪の少なくとも一部及び髄核組織を取り除く手段と、
前記腔内に圧壊されたステントを挿入する手段とを含む、請求項１０又は１１に記載のシステム。
【請求項１５】
隣接する脊椎の少なくとも１つの外壁に前記ステントを固定する手段、及び／又は、前記腔内に可膨張性膜を挿入する手段と、
脊椎間圧縮荷重の少なくとも一部を更に受け持つために、前記ステント間内の前記可膨張性膜を膨脹させる手段とを更に含み、
前記ステントは、前記可膨張性膜上に圧壊された構成で前記核腔内に挿入され、
前記ステントを膨脹させる手段は、前記ステントを前記圧壊された構成から膨脹された構成へと解放させるために前記可膨張性膜を膨脹させる手段を含む、請求項１０又は１１に記載のシステム。
【請求項１６】
椎間円板を修復させる移植片であって、
可膨張性膜と、
膨脹媒体でバルブを充填する前記膜に接続されたバルブとを含み、
前記可膨張性膜は、椎間円板に発生する圧縮荷重に抗するように構成された第１の内層を有し、
前記可膨張性膜は、更に、前記第１の層の外部の第２のテクスチャー加工層を更に含み、
前記テクスチャー加工層は、前記椎間円板内の繊維組織の成長を促進するように構成される、移植片。
【請求項１７】
前記テクスチャー加工層は、発泡未硬化ポリウレタンから形成される、及び／又は、前記テクスチャー加工層は、略４００ミクロンから略８００ミクロンまでの範囲の平均孔サイズを有する、及び／又は、前記テクスチャー加工層は、略７５％から略８０％の範囲内の気孔率を有する、及び／又は、前記テクスチャー加工層は、略１ｍｍから２ｍｍの厚さを有する、及び／又は、前記テクスチャー加工層は、当該移植片の組織封入を促進する成長因子溶液を含む、請求項１６に記載の移植片。
【請求項１８】
前記バルブは、前記可膨張性膜内部の自己シール型バルブであり、
前記自己シール型バルブは、内部の対向する壁を含み、該壁は、内部室にかかる圧縮荷重の結果圧壊する、請求項１６に記載の移植片。
【請求項１９】
テクスチャー加工された膨脹可能な移植片を生成する方法であって、
可膨張性膜を形成し、
最終のテクスチャー加工層を形成するために、前記可膨張性膜を、発泡未硬化ポリウレタンの溶液内に浸すことを含む、方法。
【請求項２０】
前記膜は、椎間円板の核腔内に装着されるように構成される、請求項１９に記載の方法。
【請求項２１】
可膨張性膜と、
前記膜を膨脹させる第１の流体を含む充填材料と、
前記充填材料内に分散される複数の小球であって、それぞれ第２の流体を保持する複数の小球とを含む、移植片。
【請求項２２】
前記小球は、ガスにより充填される、請求項２１に記載の移植片。
【請求項２３】
前記小球は、期間に亘って前記第１の流体の水和を維持する補助をする液体で充填される、請求項２１に記載の移植片。
【請求項２４】
前記小球は、前記小球及び第１の流体間の流体の移動が前記第１の流体に掛かる圧力に依存するように構成され、前記小球は、前記第１の流体に前記第２の流体を、圧力の増加と共に増加する速度で移動させる、請求項２１に記載の移植片。
【請求項２５】
前記第２の流体は水若しくは治療薬を含む、請求項２３に記載の移植片。
【請求項２６】
前記膜は、前記椎間円板の核腔内の挿入のために構成され、
前記第１の流体は、ヒドロゲルを含む、請求項２１に記載の移植片。
【請求項２７】
隣接する脊椎の対向する脊椎終板間に配置される椎間円板を修復させる移植片であって、
可膨張性膜と、
前記膜内への膨脹媒体の搬送のために前記可膨張性膜に結合されるバルブとを含み、
前記膜は、前記脊椎終板に係合するように構成された上側の壁及び下側の壁を有し、
前記膜は、前記上側の壁及び下側の壁に結合する複数の周壁を更に含み、
前記周壁は、前記脊椎終板から前記膜に掛かる圧縮荷重による前記膜の膨みを防止するために強化される、移植片。
【請求項２８】
前記上側の壁及び下側の壁は、第１の厚さを有し、
前記周壁は、局所剛性を提供するために、前記第１の厚さよりも大きい第２の厚さを有する、及び／又は、前記バルブは、前記複数の周壁の１つに配置される、請求項２７に記載の移植片。
【請求項２９】
前記周壁は、繊維マトリックスで強化され、
前記繊維マトリックスは、複数の織繊維を含み、
前記繊維は、鉛直に対して略６０度の角度に向けられる、請求項２７に記載の移植片。
【請求項３０】
前記局所剛性は、耐疲労性を増加させる、及び／又は、前記厚肉された周壁は、膨脹条件下で剛性を提供する、及び／又は、前記厚肉された周壁は、全体としての脊椎間安定性を改善するために、曲げ若しくは圧縮中の全体としての装置剛性に非線形性を生成する、及び／又は、前記バルブは、内部自己シール型バルブである、請求項２８に記載の移植片。
【請求項３１】
隣接する脊椎の対向する脊椎終板間に配置される椎間円板を修復させる移植片であって、
可膨張性膜と、
前記膜内への膨脹媒体の搬送のために前記可膨張性膜に結合されるバルブとを含み、
前記膜は、前記膨脹媒体を保持する複数の内室を有する、移植片。
【請求項３２】
前記膜は、第１の室及び第２の室を含み、
前記第１の室は、前記第２の室と異なる剛性を有する、及び／又は、前記第１の室は、第１の剛性を備えるゲルで充填され、前記第２の室は、前記第１の剛性よりも大きい第２の剛性を有するゲルで充填される、請求項３１に記載の移植片。
【請求項３３】
前記室は、第１の室及び第２の室を含み、
前記第２の室は、前記第１の室の外周を取り囲み、前記第１の室及び第２の室は、独立のバルブを有する、請求項３１に記載の移植片。
【請求項３４】
前記第１の室及び第２の室のバルブは、同心円状に向けられる、請求項３３に記載の移植片。
【請求項３５】
前記室は、第１の室及び第２の室を含み、
前記第２の室は、前記第１の室の外周を取り囲み、
前記第１の室は、前記対向する脊椎終板を機械的に保持するためにゲルを保持するように構成され、
前記第２の室は、組織の成長を促進する治療薬を保持するように構成される、請求項３１に記載の移植片。
【請求項３６】
隣接する椎体間に配置される繊維輪の領域を処理するシステムであって、
前記繊維輪の領域に隣接する椎体縁内に一以上の縫合糸を取り付ける手段と、
網体に前記一以上の縫合糸を取り付ける手段と、
前記網体を前記繊維輪の領域に亘って固定する手段とを含む、システム。
【請求項３７】
前記網体は、輪欠陥に亘って固定されるように設けられる、及び／又は、前記輪内の穴に亘って固定されるように設けられる、請求項３６に記載のシステム。
【請求項３８】
少なくとも２つの縫合糸が前記椎体縁内に取り付けられるように設けられる、請求項３６に記載のシステム。
【請求項３９】
前記縫合糸は同時に取り付けられるように設けられる、及び／又は、前記一以上の縫合糸を取り付ける手段は、
前記繊維輪の領域に隣接する脊椎終板内に縫合糸の係止部を取り付ける手段と、
前記縫合糸の係止部に前記縫合糸を取り付ける手段とを含む、請求項３８に記載のシステム。
【請求項４０】
隣接する椎体間に配置される繊維輪の領域を処理するシステムであって、
各椎体の縁部に取り付けられるように構成された一以上の係止部と、
前記繊維輪の領域に亘って配置されるように構成された網体と、
前記係止部に前記網体を取り付けるように構成された一以上の縫合糸とを含む、システム。
【請求項４１】
前記網体は、織網を含む、請求項４０に記載のシステム。
【請求項４２】
前記織網は、繊維輪の構造に整合する交差プライを有する、及び／又は、前記網の一方の面は、組織の成長を促進するように構成されたポリマーを含み、
前記網の反対の面は、付着を防止するように構成される、及び／又は、当該システムは、前記網と前記繊維輪の間に配置されるように構成された密封材を更に含む、請求項４１に記載のシステム。
【手続補正２】
【補正対象書類名】明細書
【補正対象項目名】０１１２
【補正方法】変更
【補正の内容】
【０１１２】
要約すると、この文書では、少なくとも次の広い概念を開示している。
［概念１］
上端及び下端が隣接する脊椎の対向する脊椎終板により境界付けられ周囲が繊維輪により境界付けられた脊椎間核の、再生を促進するステントであって、
金属フープを含む上部及び底部であって、前記対向する脊椎終板の外周領域に係合するように適合された座面を有しつつ前記脊椎終板の中央領域を開口したままにする上部及び底部と、
前記上部及び底部を接続する複数の横部材であって、前記上部及び底部と共に、前記隣接する脊椎間の挿入のために当該ステントが圧壊することを可能とするよう構成された横部材とを含み、
前記隣接する脊椎間に配置されるときに膨脹するように構成される、ステント。
［概念２］
脊椎間核の再生を促進するため、膨脹状態で、前記対向する脊椎終板間に生成される圧縮荷重の少なくとも一部を受け持つように構成される、概念１に記載のステント。
［概念３］
組織の再生のために前記脊椎間核を開口した状態に維持しつつ前記脊椎終板の移動を許容する柔軟なかごとして機能する、概念２に記載のステント。
［概念４］
前記上部及び底部の座面は円形である、概念１に記載のステント。
［概念５］
前記上部及び底部の座面は、前記脊椎間核の解剖学的構造に対応する楕円形である、概念１に記載のステント。
［概念６］
前記金属フープ及び横部材は、ニチノールを含む、概念１に記載のステント。
［概念７］
前記金属フープは、骨の成長を促進するようなテクスチャー加工される、概念１に記載のステント。
［概念８］
前記テクスチャー加工は、更に骨の成長を促進するための成長因子を含む、概念７に記載のステント。
［概念９］
可膨張性膜まわりに膨脹するように構成される、概念２に記載のステント。
［概念１０］
隣接する腰の脊椎間に挿入されるように構成され、
前記脊椎間核により画成される腔内に挿入され、
該腔の外周に対応するように形状付けられる、概念１に記載のステント。
［概念１１］
隣接する頚部の脊椎間に挿入されるように構成され、
除去された繊維輪の領域を通って前記脊椎終板の外周まで延在するように形状付けられる、概念１に記載のステント。
［概念１２］
前記上部及び底部は、前記脊椎終板に係合するように鋸歯状にされる、概念１１に記載のステント。
［概念１３］
前記上部及び底部の少なくとも一方は、当該ステントが脊椎の外壁に固定されることを可能とするための外部フランジを有する、概念１１に記載のステント。
［概念１４］
繊維輪により囲繞される髄核組織の領域を有し隣接する脊椎の脊椎終板間に配置される椎間円板の、再生を促進する方法であって、
前記髄核組織内の核腔内に、圧壊されたステントを挿入し、
脊椎間圧縮荷重の少なくとも一部を受け持ちこれにより核再生を促進させるために、前記ステントを膨脹させることを含む、方法。
［概念１５］
前記核腔内に圧壊されたステントを挿入することは、
髄核にアクセスするために繊維輪内に環状の侵入入口を生成し、
前記核腔を生成するために髄核組織を取り除き、
前記核腔内に前記環状の侵入入口を通して圧壊されたステントを挿入することを含む、概念１４に記載の方法。
［概念１６］
前記ステントを膨脹させることは、
前記脊椎終板に係合するように、複数の横部材により接続される上側及び下側の金属フープを膨脹させ、
前記脊椎終板に対して前記上側及び下側の金属フープを分離させるために前記複数の横部材からの荷重を介して前記脊椎終板上に軸方向の荷重を生成することを含む、概念１４に記載の方法。
［概念１７］
前記上側及び下側の金属フープは、前記脊椎終板の外周領域に係合しつつ中央の終板を開口したままにする、概念１６に記載の方法。
［概念１８］
前記髄核組織内の核腔内に可膨張性膜を挿入し、
脊椎間圧縮荷重の少なくとも一部を更に受け持ちこれにより核再生を促進させるために、前記可膨張性膜を膨脹させることを更に含む、概念１４に記載の方法。
［概念１９］
前記ステントは、前記可膨張性膜上に圧壊された構成で前記核腔内に挿入され、
前記ステントを膨脹させることは、前記ステントを前記圧壊された構成から膨脹された構成へと解放させるために前記可膨張性膜を膨脹させることを含む、概念１８に記載の方法。
［概念２０］
前記ステントは、組織の再生のために前記核腔を開口した状態に維持しつつ前記脊椎終板の移動を許容する柔軟なかごとして機能する、概念１４に記載の方法。
［概念２１］
繊維輪により囲繞される髄核組織の領域を有し隣接する脊椎の脊椎終板間に配置される椎間円板の処理方法であって、
前記椎間円板内の腔内に、圧壊されたステントを挿入し、
脊椎間圧縮荷重の少なくとも一部を受け持ちこれにより前記椎間円板の処理を促進させるために、前記ステントを膨脹させることを含む、方法。
［概念２２］
前記腔内に圧壊されたステントを挿入することは、
隣接する腰の脊椎間の髄核にアクセスするために繊維輪内に環状の侵入入口を生成し、
前記腔を生成するために髄核組織を取り除き、
前記腔内に前記環状の侵入入口を通して圧壊されたステントを挿入することを含む、概念２１に記載の方法。
［概念２３］
前記腔内に圧壊されたステントを挿入することは、
隣接する頚部の脊椎間に腔を生成するために繊維輪の少なくとも一部及び髄核組織を取り除き、
前記腔内に圧壊されたステントを挿入することを含む、概念２１に記載の方法。
［概念２４］
隣接する脊椎の少なくとも１つの外壁に前記ステントを固定することを更に含む、概念２１に記載の方法。
［概念２５］
前記腔内に可膨張性膜を挿入し、
脊椎間圧縮荷重の少なくとも一部を更に受け持つために、前記ステント間内の前記可膨張性膜を膨脹させることを更に含む、概念１４に記載の方法。
［概念２６］
前記ステントは、前記可膨張性膜上に圧壊された構成で前記核腔内に挿入され、
前記ステントを膨脹させることは、前記ステントを前記圧壊された構成から膨脹された構成へと解放させるために前記可膨張性膜を膨脹させることを含む、概念２５に記載の方法。
［概念２７］
椎間円板を修復させる移植片であって、
可膨張性膜と、
膨脹媒体でバルブを充填する前記膜に接続されたバルブとを含み、
前記可膨張性膜は、椎間円板に発生する圧縮荷重に抗するように構成された第１の内層を有し、
前記可膨張性膜は、更に、前記第１の層の外部の第２のテクスチャー加工層を更に含み、
前記テクスチャー加工層は、前記椎間円板内の繊維組織の成長を促進するように構成される、移植片。
［概念２８］
前記テクスチャー加工層は、発泡未硬化ポリウレタンから形成される、概念２７に記載の移植片。
［概念２９］
前記テクスチャー加工層は、略４００ミクロンから略８００ミクロンまでの範囲の平均孔サイズを有する、概念２７に記載の移植片。
［概念３０］
前記テクスチャー加工層は、略７５％から略８０％の範囲内の気孔率を有する、概念２７に記載の移植片。
［概念３１］
前記テクスチャー加工層は、略１ｍｍから２ｍｍの厚さを有する、概念２７に記載の移植片。
［概念３２］
前記テクスチャー加工層は、当該移植片の組織封入を促進する成長因子溶液を含む、概念２７に記載の移植片。
［概念３３］
前記バルブは、前記可膨張性膜内部の自己シール型バルブであり、
前記自己シール型バルブは、内部の対向する壁を含み、該壁は、内部室にかかる圧縮荷重の結果圧壊する、概念２７に記載の移植片。
［概念３４］
テクスチャー加工された膨脹可能な移植片を生成する方法であって、
可膨張性膜を形成し、
最終のテクスチャー加工層を形成するために、前記可膨張性膜を、発泡未硬化ポリウレタンの溶液内に浸すことを含む、方法。
［概念３５］
前記膜は、椎間円板の核腔内に装着されるように構成される、概念３４に記載の方法。
［概念３６］
可膨張性膜と、
前記膜を膨脹させる第１の流体を含む充填材料と、
前記充填材料内に分散される複数の小球であって、それぞれ第２の流体を保持する複数の小球とを含む、移植片。
［概念３７］
前記小球は、ガスにより充填される、概念３６に記載の移植片。
［概念３８］
前記小球は、期間に亘って前記第１の流体の水和を維持する補助をする液体で充填される、概念３６に記載の移植片。
［概念３９］
前記小球は、前記小球及び第１の流体間の流体の移動が前記第１の流体に掛かる圧力に依存するように構成される、概念３８に記載の移植片。
［概念４０］
前記小球は、前記第１の流体に前記第２の流体を、圧力の増加と共に増加する速度で移動させる、概念３９に記載の移植片。
［概念４１］
前記第２の流体は水を含む、概念３８に記載の移植片。
［概念４２］
前記第２の流体は治療薬を含む、概念３８に記載の移植片。
［概念４３］
前記膜は、前記椎間円板の核腔内の挿入のために構成され、
前記第１の流体は、ヒドロゲルを含む、概念３８に記載の移植片。
［概念４４］
隣接する脊椎の対向する脊椎終板間に配置される椎間円板を修復させる移植片であって、
可膨張性膜と、
前記膜内への膨脹媒体の搬送のために前記可膨張性膜に結合されるバルブとを含み、
前記膜は、前記脊椎終板に係合するように構成された上側の壁及び下側の壁を有し、
前記膜は、前記上側の壁及び下側の壁に結合する複数の周壁を更に含み、
前記周壁は、前記脊椎終板から前記膜に掛かる圧縮荷重による前記膜の膨みを防止するために強化される、移植片。
［概念４５］
前記上側の壁及び下側の壁は、第１の厚さを有し、
前記周壁は、局所剛性を提供するために、前記第１の厚さよりも大きい第２の厚さを有する、概念４４に記載の移植片。
［概念４６］
前記周壁は、繊維マトリックスで強化される、概念４４に記載の移植片。
［概念４７］
前記繊維マトリックスは、複数の織繊維を含み、
前記繊維は、鉛直に対して略６０度の角度に向けられる、概念４６に記載の移植片。
［概念４８］
前記局所剛性は、耐疲労性を増加させる、概念４５に記載の移植片。
［概念４９］
前記厚肉された周壁は、膨脹条件下で剛性を提供する、概念４５に記載の移植片。
［概念５０］
前記厚肉された周壁は、全体としての脊椎間安定性を改善するために、曲げ若しくは圧縮中の全体としての装置剛性に非線形性を生成する、概念４５に記載の移植片。
［概念５１］
前記バルブは、前記複数の周壁の１つに配置される、概念４４に記載の移植片。
［概念５２］
前記バルブは、内部自己シール型バルブである、概念４５に記載の移植片。
［概念５３］
隣接する脊椎の対向する脊椎終板間に配置される椎間円板を修復させる移植片であって、
可膨張性膜と、
前記膜内への膨脹媒体の搬送のために前記可膨張性膜に結合されるバルブとを含み、
前記膜は、前記膨脹媒体を保持する複数の内室を有する、移植片。
［概念５４］
前記膜は、第１の室及び第２の室を含み、
前記第１の室は、前記第２の室と異なる剛性を有する、概念５３に記載の移植片。
［概念５５］
前記第１の室は、第１の剛性を備えるゲルで充填され、前記第２の室は、前記第１の剛性よりも大きい第２の剛性を有するゲルで充填される、概念５３に記載の移植片。
［概念５６］
前記室は、第１の室及び第２の室を含み、
前記第２の室は、前記第１の室の外周を取り囲む、概念５３に記載の移植片。
［概念５７］
前記第１の室及び第２の室は、独立のバルブを有する、概念５６に記載の移植片。
［概念５８］
前記第１の室及び第２の室のバルブは、同心円状に向けられる、概念５７に記載の移植片。
［概念５９］
前記第１の室は、前記対向する脊椎終板を機械的に保持するためにゲルを保持するように構成され、
前記第２の室は、組織の成長を促進する治療薬を保持するように構成される、概念５６に記載の移植片。
［概念６０］
隣接する椎体間に配置される繊維輪の領域を処理する方法であって、
前記繊維輪の領域に隣接する椎体縁内に一以上の縫合糸を取り付け、
網体に前記一以上の縫合糸を取り付け、
前記網体を前記繊維輪の領域に亘って固定することを含む、方法。
［概念６１］
前記網体は、輪欠陥に亘って固定される、概念６０に記載の方法。
［概念６２］
前記網体は、前記輪内の穴に亘って固定される、概念６０に記載の方法。
［概念６３］
少なくとも２つの縫合糸が前記椎体縁内に取り付けられる、概念６０に記載の方法。
［概念６４］
前記縫合糸は同時に取り付けられる、概念６３に記載の方法。
［概念６５］
前記一以上の縫合糸を取り付けることは、
前記繊維輪の領域に隣接する脊椎終板内に縫合糸の係止部を取り付け、
前記縫合糸の係止部に前記縫合糸を取り付けることを含む、概念６３に記載の方法。
［概念６６］
隣接する椎体間に配置される繊維輪の領域を処理するシステムであって、
各椎体の縁部に取り付けられるように構成された一以上の係止部と、
前記繊維輪の領域に亘って配置されるように構成された網体と、
前記係止部に前記網体を取り付けるように構成された一以上の縫合糸とを含む、システム。
［概念６７］
前記網体は、織網を含む、概念６６に記載のシステム。
［概念６８］
前記織網は、繊維輪の構造に整合する交差プライを有する、概念６７に記載のシステム。
［概念６９］
前記網の一方の面は、組織の成長を促進するように構成されたポリマーを含み、
前記網の反対の面は、付着を防止するように構成される、概念６７に記載のシステム。
［概念７０］
前記網と前記繊維輪の間に配置されるように構成された密封材を更に含む、概念６７に記載のシステム。
【手続補正３】
【補正対象書類名】明細書
【補正対象項目名】０１１３
【補正方法】変更
【補正の内容】
【０１１３】
本願は、ここでの参照によりその全体が組み込まれる、２００４年１２月１日に出願された米国予備出願第６０／６３２，３９６号の優先権を主張する。
この特許文書の内容の一部は、米国及び他の国の著作権法の保護下にある。著作権者は、特許文書若しくは特許開示が米国特許商標庁で大衆に利用可能にファイルされ若しくは記録される際に、特許文書若しくは特許開示の如何なるものによる複製に対して異論を有しない。ここに、著作権者は、３７C.F.R1.14に準拠した権利の制限なく、この特許文書が秘密に維持されることの権利を放棄しない。